(57)【特許請求の範囲】
【請求項１】
波形に曲げて山部を形成した金属製の屋根板の棟側端部の上に棟側の屋根板の軒側端部を重ねて接続手段にて接続する屋根板の接続構造であって、両屋根板の重ね接続部分における棟軒方向の中間部に、棟側端部と軒側端部との間の山部の位置に硬質スペーサを介装して重ね接続部分の棟側端部の全長にわたる水切り空間を形成し、水切り空間の軒側端部に面戸を設け、硬質スペーサの軒側の水切り空間に棟軒方向とは略直交する方向の全長にわたって水密シール帯を介装し、山部に載置した硬質スペーサを水密シール帯に接着し、屋根板の山部において水密シール帯の位置に接続手段を打ち込んで成ることを特徴とする屋根板の接続構造。
【請求項２】
屋根板の裏面に合成樹脂発泡層を積層し、合成樹脂発泡層の裏面に金属板が積層されていることを特徴とする請求項１記載の屋根板の接続構造。
【発明の詳細な説明】
【０００１】
【発明の属する技術分野】
本発明は、波形に成形した屋根板の接続構造に関し、詳しくは、施工性を高め、接続箇所における積雪等の荷重に対する強度を高め、かつ、充分な水密性を維持しようとする技術に係るものである。
【０００２】
【従来の技術】
従来、波形に曲げた金属製の屋根板１の棟側端部１ａの上に棟側の屋根板１の軒側端部１ｂを重ねて接続手段５にて接続する屋根板の接続構造は、図６に示すように、重ね接続部分Ｊの軒側に薄い水密シール帯６ａが介装され、重ね接続部分Ｊの棟側に厚い水密シール帯６ｂが介装され、しかして、重ね接続部分Ｊにおける軒側からの雨水の浸入を抑制するようにしている。このような構成においては、重ね接続部分Ｊにくさび状の空所３ａが形成されるのである。
【０００３】
【発明が解決しようとする課題】
ところで、このように、水密シール帯６ａ，６ｂを介装させながら、棟側端部１ａと軒側端縁とを面接触させるようにすると施工が面倒になり、くさび状の空所３ａを形成することが難しく、また、重ね接続部分Ｊに積雪荷重がかかると、軒側端部１ｂがへこみ、外観が低下し、また、重ね接続部分Ｊの接触している箇所から毛細管現象で雨水が浸入し、水密性が損なわれる等という問題がある。
【０００４】
本発明はこのような問題を解消しようとするものであり、施工性を高め、接続箇所における積雪等の荷重に対する強度を高め、かつ、充分な水密性を維持することができる屋根板の接続構造を提供することを課題とする。
【０００５】
【課題を解決するための手段】
請求項１の発明においては、波形に曲げて山部ａを形成した金属製の屋根板１の棟側端部１ａの上に棟側の屋根板１の軒側端部１ｂを重ねて接続手段５にて接続する屋根板の接続構造であって、両屋根板１，１の重ね接続部分Ｊにおける棟軒方向の中間部に、棟側端部１ａと軒側端部１ｂとの間の山部ａの位置に硬質スペーサ２を介装して重ね接続部分Ｊの棟側端部１ａの全長にわたる水切り空間３を形成し、水切り空間３の軒側端部に面戸４を設け、硬質スペーサ２の軒側の水切り空間３に棟軒方向とは略直交する方向の全長にわたって水密シール帯６を介装し、山部ａに載置した硬質スペーサ２を水密シール帯６に接着し、屋根板１の山部ａにおいて水密シール帯６の位置に接続手段５を打ち込んで成ることを特徴とするものである。
【０００６】
請求項２の発明においては、屋根板１の裏面に合成樹脂発泡層７を積層し、合成樹脂発泡層７の裏面に金属板８が積層されていることを特徴とするものである。
【０００７】
請求項１の構成においては、重ね接続部分Ｊの軒側端部１ｂと棟側端部１ａとの間の山部ａの位置には硬質スペーサ２を介装され、重ね接続部分Ｊにかかる積雪等の過大な荷重に耐え、変形が生じて外観を低下させることがない。棟側端部１ａと軒側端部１ｂとの間の山部ａの位置に硬質スペーサ２を置いてボルト５ａのような接続手段５にて単純に接続すればよく、施工性を向上させる。水切り空間３と水密シール帯６との相乗で、充分な水密性を得る。また、硬質スペーサ２の軒側の水切り空間３に棟軒方向とは略直交する方向の全長にわたって水密シール帯６を介装することによって、強風時に水切り空間３に吹き込む雨水の浸入を阻止することができる。
【０００８】
また、波形の谷部及び谷部から山部にかけて、重ね接続部分Ｊの全長にわたって水切り空間３を形成することができ、水切り機能を高め、水密性をより一層向上させる。
【０００９】
そして、請求項２の発明のように、屋根板１の裏面に合成樹脂発泡層７を積層し、合成樹脂発泡層７の裏面に金属板８が積層されていてもよいものである。
【００１０】
【発明の実施の形態】
図１（ａ）は屋根板１，１の接続箇所における棟軒方向の概略断面図を示し、図３は棟軒方向とは直交する方向の概略断面図を示している。屋根板１はロール成形にて角波形状に曲げ加工され、このような屋根板１と平坦な金属板８間に合成樹脂発泡層７を充填発泡させて断熱屋根パネルＡが構成されているのである。
【００１１】
図１（ｂ）に示すように、断熱屋根パネルＡの屋根板１の軒側端部１ｂの下面の合成樹脂発泡層７が除去され、屋根板１の軒側端部１ｂが露出しているものである。本発明は、上述のような断熱屋根パネルＡに実施したが、合成樹脂発泡層７がない屋根材に実施してもよいものである。
断熱屋根パネルＡ，Ａを棟軒方向に接続するのに際して、図１に示すように、軒側の断熱屋根パネルＡを母屋９に載置し、上面の屋根板１の棟側端部１ａの山部ａ上に、図２に示すように、例えば、硬質塩化ビニル樹脂にて矩形に成形された硬質スペーサ２を載置する。また、棟側の断熱屋根パネルＡの屋根板１の軒側端部１ｂには面戸４を山部ａにおいて取付けておく。このように、面戸４は軒側端部１ｂに取付けておく場合と、棟側端部１ａの山部に取付けておく場合があり、いずれの場合も、面戸４の谷部は軒側端部１ｂ側に取付ける。硬質スペーサ２よりも軒側には、面戸４と略同形状の水密シール帯６が載置される。硬質スペーサ２の棟側にも水密シール帯６を配するが、無くてもよい。軒側の水密シール帯６は、母屋９の位置に相当する上方に配置される。水密シール帯６はＥＰＴゴム製であるが、他の材質のものでもよいものである。
【００１２】
次に、棟側の断熱屋根パネルＡで、屋根板１の下面の合成樹脂発泡層７が除去されている軒側端部１ｂが、棟側端部１ａの上に置かれた硬質スペーサ２、水密シール帯６，６の上に載せられ、接続手段５としてのセルフドリリングスクリューのような穿孔可能なボルト５ａを軒側端部１ｂ、水密シール帯６、棟側端部１ａ、合成樹脂発泡層７を貫通し、母屋９にねじ込み、断熱屋根パネルＡ，Ａを接続するのである。面戸４は谷部ｂにおいて屋根板１の上からリベット或いはドリルビスなどにて固定される。面戸４は予め軒側の断熱屋根パネルＡ側に取付けておいてもよい。
【００１３】
この場合、棟側の断熱屋根パネルＡは母屋９を基準に同じ屋根勾配で気持ち高い位置、つまり、硬質スペーサ２の厚さに相当する高さだけ高い位置に施工された母屋９ａに支持させ、棟側の断熱屋根パネルＡがボルト５ａにて母屋９ａに固定され、軒側と棟側の断熱屋根パネルＡ，Ａの上面が略同レベルになるように施工されるのである。
【００１４】
断熱屋根パネルＡ，Ａの接続箇所の裏面には、金属板の塞ぎ板１０が介装され、接続箇所の裏面の納まり及び化粧を図っている。この場合、棟側の断熱屋根パネルＡの合成樹脂発泡層７の棟側端面にＥＰＴゴム製の断熱シール１１が貼られて、合成樹脂発泡層７を保護している。
このように、重ね接続部分Ｊの軒側端部１ｂと棟側端部１ａとの間には硬質スペーサ２が介装されていて、重ね接続部分Ｊにかかる積雪等の過大な荷重に耐え、変形が生じて外観を低下させることがなく、長期にわたって良好な外観を維持するのである。また、硬質スペーサ２は、波形の山部に介装されていて、波形の山部から谷部には重ね接続部分Ｊの全長にわたって水切り空間３を形成するのであり、水切り機能を高め、水密性をより一層向上させるのである。しかも、硬質スペーサ２の軒側に水密シール帯６，６が介装されていて、強風時に水切り空間３に吹き込む雨水の浸入を阻止することができる。
【００１５】
硬質スペーサ２は軒側の水密シール帯６に接着させて、水密シール帯６の位置にセルフドリリングスクリューを打ち込みすぎて、山部ａの鋼板の屋根板１がへこんでしまうのを回避することができるものである。
【００１６】
【発明の効果】
請求項１の発明においては、波形に曲げて山部を形成した金属製の屋根板の棟側端部の上に棟側の屋根板の軒側端部を重ねて接続手段にて接続する屋根板の接続構造であって、両屋根板の重ね接続部分における棟軒方向の中間部に、棟側端部と軒側端部との間の山部の位置に硬質スペーサを介装して重ね接続部分の棟側端部の全長にわたる水切り空間を形成し、水切り空間の軒側端部に面戸を設け、水切り空間に棟軒方向とは略直交する方向の全長にわたって水密シール帯を介装してあるから、重ね接続部分の軒側端部と棟側端部との間には硬質スペーサが介装されていて、重ね接続部分にかかる積雪等の過大な荷重に耐えることができ、変形が生じて外観を低下させることがなく、長期にわたって良好な外観を維持でき、しかも、屋根板を棟軒方向に接続するのに際して、棟側端部と軒側端部との間に硬質スペーサを置いてボルトのような接続手段にて接続すればよく、従来のように、水密シール帯を介装しながら、重ね接続部分の軒側部において屋根板を接触させるような施工形態に比べて施工性を向上させることができるという利点がある。更に、重ね接続部分には水切り空間が形成され、水切り機能を高め、水密シール帯との相乗で、充分な水密性を得ることができるという利点がある。また、硬質スペーサの軒側に水密シール帯が介装されているから、強風時に水切り空間に吹き込む雨水の浸入を阻止することができるという利点がある。また、山部に載置した硬質スペーサを水密シール帯に接着し、屋根板の山部において水密シール帯の位置に接続手段を打ち込むので、水密シール帯の位置に接続手段であるセルフドリリングスクリューを打ち込みすぎて、山部の鋼板の屋根板がへこんでしまうのを回避することができるものである。
【００１７】
また、硬質スペーサは、波形の山部に介装されているから、波形の谷部から山部には重ね接続部分の全長にわたって水切り空間を形成することができ、水切り機能を高め、水密性をより一層向上させることができるという利点がある。
【００１８】
ところで、請求項２の発明のように、屋根板の裏面に合成樹脂発泡層を積層し、合成樹脂発泡層の裏面に金属板が積層されていてもよいものである。
【図面の簡単な説明】
【図１】本発明の実施の一形態を示し、（ａ）は一部破断し、棟軒方向の概略断面図、（ｂ）は概略斜視図である。
【図２】（ａ）（ｂ）は施工を示す斜視図である。
【図３】棟軒方向とは直交する方向の概略断面図である。
【図４】水密シール帯の正面図である。
【図５】水密シール帯の一部破断した拡大正面図である。
【図６】従来例の概略断面図である。
【符号の説明】
１  屋根板
２  硬質スペーサ
３  水切り空間
４  面戸
５  接続手段
６  水密シール帯
７  合成樹脂発泡層
８  金属板
【図１】
0003540911.tif 000002
【図２】
0003540911.tif 000003
【図３】
0003540911.tif 000004
【図４】
0003540911.tif 000005
【図５】
0003540911.tif 000006
【図６】
0003540911.tif 000007